(57)【要約】制御コンピュータがワイヤまたはケーブル、または他の物理的伝送媒体によって遠隔プロジェクタに接続されないように、ワイヤレス接続で制御コンピュータから遠隔プロジェクタにプレゼンテーションデータを送信するためのシステムおよび方法。プレゼンテーションデータは任意選択的にテキスト、グラフィックイメージ、映像および／または音声データを含むことができ、制御コンピュータで作成される。制御コンピュータはプレゼンテーションデータを遠隔プロジェクタに送信し、プロジェクタはプレゼンテーションデータを聴衆に表示する。
2004512558.tif 000002
【特許請求の範囲】
【請求項１】
ワイヤレス媒体を介して伝送されたデータから成るプレゼンテーションを聴衆に表示するためのシステムであって、
（ａ）前記プレゼンテーション用のプレゼンテーションデータを作成するための制御コンピュータであって、前記プレゼンテーションデータを送信するためのワイヤレス送信機を含み、ＣＰＵ（中央処理装置）を装備していることを特徴とし、前記ワイヤレス送信機が前記ワイヤレス媒体の一部分を形成して成る制御コンピュータと、
（ｂ）前記プレゼンテーションデータを受信し、かつ前記プレゼンテーションを聴衆に表示するために前記プレゼンテーションデータを投写するための遠隔プロジェクタであって、前記制御コンピュータからプレゼンテーションデータを受信するためのワイヤレス受信機を含み、ＣＰＵが欠如していることを特徴とし、前記ワイヤレス受信機がワイヤレス媒体の別の部分を形成して成る遠隔プロジェクタと
を備えているシステム。
【請求項２】
前記制御コンピュータが、
（ｉ）表示用に映像データをフォーマットするためのビデオカードと、
（ｉｉ）前記映像データを表示するための局所モニタと
をさらに備え、前記遠隔プロジェクタが、
（ｉ）前記映像データを表示するための遠隔プロジェクタディスプレイ
をさらに備え、前記システムが、
（ｃ）前記映像データを前記制御コンピュータないし前記局所モニタに、および交互に前記遠隔プロジェクタディスプレイに切り替えるためのスイッチングボックスであって、前記遠隔プロジェクタとデータを交換するためのワイヤレストランシーバを装備しているスイッチングボックス
をさらに備えている、請求項１に記載のシステム。
【請求項３】
前記制御コンピュータの前記ワイヤレス送信機が前記スイッチングボックスの前記ワイヤレストランシーバの一部を形成する、請求項２に記載のシステム。
【請求項４】
（ｄ）ユーザと対話するためのコマンドプラットフォームであって、
（ｉ）前記制御コンピュータからプレゼンテーションデータを受信するためのワイヤレス送信機と、
（ｉｉ）前記プレゼンテーションデータの前記映像データを表示するためのコマンドプラットフォームディスプレイと
を備えているコマンドプラットフォーム
をさらに備え、
前記映像データが交互に、前記コマンドプラットフォームディスプレイによる表示のために前記コマンドプラットフォームに送られ、かつ前記遠隔プロジェクタディスプレイによる表示のために前記遠隔プロジェクタに送られるように、前記コマンドプラットフォームの前記ワイヤレス送信機が、前記映像データの受信装置を決定するために前記スイッチングボックスの前記ワイヤレス送信機と通信する、
請求項２に記載のシステム。
【請求項５】
前記コマンドプラットフォームが、
（ｉｉｉ）ユーザから入力を受信するための入力装置
をさらに備え、前記入力は前記ワイヤレストランシーバによって前記スイッチングボックスに送信され、
前記スイッチングボックスが前記コマンドプラットフォームからの前記入力をレンダリングされた入力データに変換するための入力変換装置を装備しており、
前記制御コンピュータが、
（ｉｉｉ）前記レンダリングされた入力データに従って少なくとも１つの動作を実行するように、前記レンダリングされた入力データを受信するための入力装置ポート
をさらに備えている、請求項４に記載のシステム。
【請求項６】
前記コマンドプラットフォームが
（ｉｖ）前記入力データをパケットフォーマットに変換するためのパケットプロトコルモジュール
をさらに備え、
前記スイッチングボックスが前記入力データを前記パケットフォーマットから前記レンダリングされた入力データに復号するためのパケットデコーダをさらに備えている、
請求項５に記載のシステム。
【請求項７】
前記制御コンピュータの前記ワイヤレス送信機が無線波送信機である、請求項６に記載のシステム。
【請求項８】
前記無線波送信機が約２．４ＧＨｚから約５．８ＧＨｚの範囲の無線波を送信する、請求項７に記載のシステム。
【請求項９】
前記無線波送信機がＩＳＭバンド送信機である、請求項８に記載のシステム。
【請求項１０】
前記制御プラットフォームおよび前記スイッチングボックスの前記ワイヤレストランシーバが無線波トランシーバである、請求項７に記載のシステム。
【請求項１１】
前記無線波トランシーバが約２．４ＧＨｚから約５．８ＧＨｚの範囲の無線波で作動する、請求項１０に記載のシステム。
【請求項１２】
前記無線波トランシーバがＩＳＭバンドトランシーバである、請求項１１に記載のシステム。
【請求項１３】
前記スイッチングボックスの前記ＩＳＭバンドトランシーバがポイントツーマルチポイントトランシーバである、請求項１２に記載のシステム。
【請求項１４】
前記コマンドプラットフォームディスプレイおよび前記局所モニタが各々別個に、プラズマスクリーン、ＬＣＤ（液晶ディスプレイ）スクリーン、フラットパネルディスプレイ、およびＣＲＴ（陰極線管）スクリーンから成る群から選択される、請求項５に記載のシステム。
【請求項１５】
前記プレゼンテーションデータが音声データを含み、前記遠隔プロジェクタが、
（ｉ）前記制御コンピュータからの音声信号を増幅するための音声増幅器と、
（ｉｉ）前記音声増幅器から受け取った前記音声信号を可聴表示するためのスピーカと
をさらに備えている、請求項１４に記載のシステム。
【請求項１６】
前記コマンドプラットフォームの前記入力装置が遠隔キーボードおよび遠隔ポインティング装置の少なくとも１つをさらに備えている、請求項５に記載のシステム。
【請求項１７】
前記制御コンピュータが、プレゼンテーションデータを前記遠隔プロジェクタに送信する前に圧縮方法に従ってプレゼンテーションデータを圧縮し、前記圧縮方法はプレゼンテーションデータの少なくとも１つの特徴に応じて選択される、請求項１に記載のシステム。
【請求項１８】
ワイヤレス媒体を介して伝送されたプレゼンテーションデータから成るプレゼンテーションを聴衆に表示するための方法であって、
（ａ）前記プレゼンテーションデータを受信するためにワイヤレス媒体に接続され、ＣＰＵ（中央処理装置）の欠如によって特徴付けられる、前記プレゼンテーションデータを聴衆に表示するための遠隔プロジェクタを設けるステップと、
（ｂ）前記プレゼンテーションデータをワイヤレス媒体を介して前記遠隔プロジェクタに送信するステップと、
（ｃ）前記プレゼンテーションデータを前記遠隔プロジェクタによって表示するステップと
を含む方法。
【請求項１９】
ステップ（ｂ）が、
（ｉ）ＣＰＵを装備しており、前記ワイヤレス媒体に接続される、前記プレゼンテーションデータを作成するための制御コンピュータを設けるステップと、
（ｉｉ）前記制御コンピュータによって前記プレゼンテーションデータを作成するステップと、
（ｉｉｉ）前記プレゼンテーションデータを前記制御コンピュータから前記ワイヤレス媒体を介して前記遠隔プロジェクタに送信するステップと
をさらに含む、請求項１８に記載の方法。
【請求項２０】
ステップ（ｉｉ）が
（１）前記プレゼンテーションデータの特徴のプロファイルに各々関連付けられる、複数の異なるデータ圧縮手順を提供するステップと、
（２）圧縮されるプレゼンテーションデータを受信して受信データを形成するステップと、
（３）前記受信データの少なくとも１つの特徴を決定するステップと、
（４）前記少なくとも１つの特徴に応じてプロファイルを選択するステップと、
（５）前記プロファイルに関連付けられる圧縮手順に従って前記受信データを圧縮するステップと
をさらに含む、請求項１９に記載の方法。
【発明の詳細な説明】
【０００１】
発明の分野および背景
本発明は、映像および／または音声データを遠隔プロジェクタを介して表示するためのシステムおよび方法に関し、特に、遠隔プロジェクタがワイヤレス接続を介してデータの源に接続されるそのようなシステムおよび方法に関する。データは、遠隔プロジェクタに送信する前に圧縮することが好ましい。
【０００２】
コンピュータは、家庭用娯楽装置として、かつ消費者向けの情報の編成および表示のために、ますます普及してきている。以前のコンピュータの機能に加えて、コンピュータは今日では、ＭＰ３フォーマットでＣＤ、磁気記憶媒体、またはＤＶＤ記憶媒体に格納されたファイルをはじめ、様々なフォーマットで格納された音楽を再生することができるだけでなく、インターネットを通して画像ストリームを表示したり、「チャット」を行うことが可能である。さらに、消費者は今や、コンピュータを通して様々なタスクを「オンライン」で実行し、例えば現地のスーパーマーケットに青果を注文することができ、それは次いで消費者の家に配達される。これらの適用は、より効率的であり、かつ消費者の時間を節約するという利点を持つ。
【０００３】
コンピュータ自体は、可搬性を除いては、家庭環境用および新しいマルチメディアタスク用に充分に順応してきた。一般的な家庭用コンピュータは、あまり可搬ではない「デスクトップ」コンピュータである。しかし、音楽データベースの再生および管理、さもなければ遠隔位置のコンピュータとの対話などの特定の適用は、コンピュータが部屋から部屋へ容易に動かすことができれば、もっと効率的であろう。したがって、デスクトップコンピュータはそのようなタスクにとって充分に可搬ではない。
【０００４】
家庭用のデスクトップコンピュータの使用を超えて、コンピュータは現在、任意選択的にスライド用のテキスト情報、映像データ、音声データ、またはそれらの組合せを含むことができるプレゼンテーションの表示を制御するためにも使用される。コンピュータは、コンピュータをケーブルでプロジェクタに接続することによって、そのようなプレゼンテーションを表示するために使用することができる。その場合、コンピュータはデータをプロジェクタに送信することによって、プレゼンテーションの表示を制御する。再びデスクトップコンピュータはそのような用途にとって可搬性が充分でなく、ポータブルまたは「ラップトップ」コンピュータでさえも接続ケーブルの使用が必要である。したがって、コンピュータはプロジェクタに近接しなければならず、それは、特にコンピュータのオペレータがプレゼンテーションを表示する前に試演したい場合に、不便になることがある。
【０００５】
より有用な解決策は、接続ケーブルの必要性を排除することであろう。加えて、そのような解決策は、プレゼンテーションのオペレータが、遠隔位置のコンピュータと対話するために、映像データについてコンピュータのモニタの表示を見ること、および／または音声データを聞くこともできるようにすることを可能にする。したがって、コンピュータ全体をプロジェクタに近接するように移動させる必要がない。
【０００６】
あたかもここに完全に記載されているかのように参照によって組み込まれる、米国特許出願第０９／１９７，４４１号に開示され請求された遠隔コンピューティング装置は、遠隔ポータブルプラットフォームのモニタに情報を表示するため、かつ遠隔コンピュータのＣＰＵ（中央処理装置）を制御するために、完全に遠隔の独立動作可能な装置を提供することによって、これらの問題を克服する。しかし、完全に実施可能かつ実現可能であるためには、開示された装置はプレゼンテーションデータを聴衆に投写することができなければならない。加えて、開示された装置は、モニタディスプレイを迅速にリフレッシュするために充分に迅速に映像データを受信し、かつユーザが特定の型の情報の表示を要求してそれが実際に表示されるまでの間長い時間待つことを必要とせずに、敏感に音声ストリームデータをスピーカから再生するためにそのようなデータを迅速に受信しければならない。
【０００７】
そのような画像データをリモートモニタに送信しかつそのような画像データをリモートモニタが受信するために現在入手可能な技術は、特に、ワイヤまたはケーブルネットワークを通して制御ＣＰＵに接続されていない装置の場合、帯域幅の量に関して制限される。そのような制限は一般的に１００〜１，６００Ｍｂｐｓである。したがって、より大量のデータを送信に利用可能な帯域幅に圧縮するために、マルチメディアデータ圧縮方法が必要である。しかし、現在のマルチメディアデータ圧縮方法は、送信されるマルチメディアデータの型用に調整されているときが最も効率的である。特定の装置が日常的に特定の型のマルチメディアデータを送信する場合には、圧縮方法はその型のマルチメディアデータに対して調整することができるので、圧縮方法を決定することは極めて簡単である。複数の型のマルチメディアデータが送信される装置および適用の場合、圧縮方法は各型のデータに対して別個に決定しなければならない。
【０００８】
米国特許出願第０９／１９７，４４１号のリモートモニタは、日常的に複数の異なる型の画像データを受信しなければならない装置の一例である。このリモートモニタによって受信される表示データは全て画像データであるが、語処理ソフトウェアプログラム用のＧＵＩ（グラフィカルユーザインタフェース）の表示からＤＶＤ映画のストリーミング画像データまでの範囲に及ぶことがあり得る。したがって各々の異なる型の表示データは、送信されるデータの最も効率的な圧縮のために、異なる型の画像データ圧縮方法を必要とする。
【０００９】
現在、各マルチメディアデータ圧縮方法は、特定の型のマルチメディアデータ用に手動で調整しなければならない。明らかに、そのような手動調整は、高速で複数の型のマルチメディアデータを表示することのできるリモートモニタ装置には適さない。したがって、よりよい解決策とは、マルチメディアデータ圧縮方法の型をリモートモニタに表示されるマルチメディアデータの型によって自動的に選択させるものであろう。残念ながら、そのような解決策は現在入手できない。
【００１０】
したがって、制御コンピュータがワイヤまたはケーブルでプロジェクタに接続されないように、ワイヤレス接続を介して遠隔位置の制御コンピュータからプロジェクタに、任意選択的にテキスト、映像および／または音声データを含むプレゼンテーションデータを、好ましくは送信の速度および効率を高めるためにプレゼンテーションデータを圧縮して、送信するための方法およびシステムに対する満たされない要求があり、かつそれを持つことは非常に有用である。
【００１１】
発明の概要
本発明は、制御コンピュータがワイヤまたはケーブル、または他の物理的伝送媒体によって遠隔プロジェクタに接続されないように、ワイヤレス接続で制御コンピュータから遠隔プロジェクタにプレゼンテーションデータを送信するためのシステムおよび方法である。制御コンピュータはプレゼンテーションデータを遠隔プロジェクタに送信し、プロジェクタはプレゼンテーションデータを聴衆に表示する。本発明の好適な実施形態では、プレゼンテーションデータは、プレゼンテーションのオペレータに表示するためにコンピュータモニタにも送信される。加えて、プレゼンテーションデータは、マルチメディアデータ圧縮のための方法に従って圧縮することが好ましく、これはプレゼンテーションデータを迅速かつ効率的に遠隔プロジェクタに送信することを可能にする。
【００１２】
本発明では、聴衆にプレゼンテーションを表示するためのシステムを提供する。プレゼンテーションは、ワイヤレス媒体を介して送信されるデータから成る。当該システムは、（ａ）プレゼンテーション用のプレゼンテーションデータを作成するための制御コンピュータであって、プレゼンテーションデータを送信するためのワイヤレス送信機を含み、ＣＰＵ（中央処理装置）を装備していることを特徴とし、ワイヤレス送信機がワイヤレス媒体の一部分を形成して成る制御コンピュータと、（ｂ）プレゼンテーションデータを受信し、かつプレゼンテーションを聴衆に表示するためにプレゼンテーションデータを投写するための遠隔プロジェクタであって、制御コンピュータからプレゼンテーションデータを受信するためのワイヤレス受信機を含み、ＣＰＵが欠如していることを特徴とし、ワイヤレス受信機がワイヤレス媒体の別の部分を形成して成る遠隔プロジェクタとを備えている。
【００１３】
本発明の別の実施形態では、プレゼンテーションを聴衆に表示するための方法を提供する。プレゼンテーションは、ワイヤレス媒体を介して送信されたプレゼンテーションデータから成り、当該方法は、（ａ）プレゼンテーションデータを聴衆に表示するための遠隔プロジェクタであって、プレゼンテーションデータを受信するためにワイヤレス媒体に接続され、ＣＰＵ（中央処理装置）が欠如していることを特徴とする遠隔プロジェクタを設けるステップと、（ｂ）ワイヤレス媒体を介して遠隔プロジェクタにプレゼンテーションデータを送信するステップと、（ｃ）プレゼンテーションデータを遠隔プロジェクタに表示するステップとを含む。
【００１４】
以下、用語「コンピュータ」は、ＤＯＳ、ウィンドウズ（登録商標）、ＯＳ／２（登録商標）、またはリナックスなどのオペレーティングシステムを有するパーソナルコンピュータ（ＰＣ）；マッキントッシュ（登録商標）コンピュータ；ＪＡＶＡ（登録商標）−ＯＳまたはＢｅＯＳ（登録商標）をオペレーティングシステムとして有するコンピュータ；シン・クライアントコンピュータ；およびサン・マイクロシステムズ（登録商標）およびシリコン・グラフィックス（登録商標）のコンピュータ、ならびにＡＩＸ（登録商標）またはサン・マイクロシステムズ（登録商標）のＳＯＬＡＲＩＳ（登録商標）などのＵＮＩＸ（登録商標）オペレーティングシステムの何らかのバージョンを有するその他のコンピュータなどのグラフィカルワークステーション；パームパイロット（登録商標）、パイロットＰＣ（登録商標）、またはいずれかの他のハンドヘルド装置、ＰＤＡ（パーソナルデータアシスタント）などのデータ処理用携帯装置、または組込みシステムまたは装置；またはその他の既知かつ入手可能なオペレーティングシステムおよび計算装置を含め、しかしそれらに限定されず、計算を実行することのできる任意の型の電子装置を示す。以下、用語「ウィンドウズ（登録商標）」は、ウィンドウズ（登録商標）９５、「ｘ」を「１」などの整数としてウィンドウズ（登録商標）３．ｘ、ウィンドウズ（登録商標）ＮＴ、ウィンドウズ（登録商標）９８、ウィンドウズ（登録商標）ＣＥ、ウィンドウズ（登録商標）２０００、およびこれらのオペレーティングシステムのマイクロソフト社（米国）による任意のアップグレードバージョンを含むが、それらに限定されない。
【００１５】
本発明の方法はデータプロセッサによって実行される複数の命令としても記述することができるので、本発明の方法はハードウェア、ソフトウェア、ファームウェア、またはそれらの組合せとして実現することができる。本発明の場合、ソフトウェアアプリケーションは、当業界の通常の熟練者が容易に選択できる、実質的にどの適切なプログラミング言語でも書くことができる。選択されるプログラミング言語は、ソフトウェアアプリケーションが実行されるコンピュータと互換性のあるものでなければならない。適切なプログラミング言語の例としてＣ、Ｃ＋＋およびＪａｖａ（登録商標）があるが、それらに限定されない。
【００１６】
以下、用語「ＣＰＵ」（中央処理装置）は、周辺装置をはじめコンピュータの残部を制御するコンピュータの部分を含む。ここで定義するＣＰＵは、制御装置および論理演算装置（ＡＬＵ）のみならず、制御装置およびＡＬＵの作動に必要なメモリおよび一時バッファなど、他の構成部品をも含む。他の型のマイクロプロセッサまたはデータプロセッサは、ここで定義する用語「ＣＰＵ」から明確に除外される。
【００１７】
以下、用語「スピーカ」は、イヤホーンを含めて、ユーザのために可聴音ストリームを生成するためのどんな型の装置をも含むと定義される。
【００１８】
以下、「局所的に接続可能な」ビデオカードとは、コンピュータが実際にそのようなモニタまたは他の表示装置を接続しているかどうかに関係なく、ビデオカードが設置されたコンピュータに接続されるモニタまたは他の表示装置を制御することのできるビデオカードである。
【００１９】
図面の簡単な説明
本発明をここで、単なる例として、添付の図面を参照しながら説明する。今、特に図面を詳細に参照するにあたり、詳細は例として、かつ本発明の好適な実施形態の解説のために図示しただけであり、発明の原理および概念的側面についての最も有用かつ容易に理解される説明と信じられるものを提供するために提示することを強調したい。これに関して、発明の根本的な理解に必要である以上に詳しく本発明の構造の細部を示そうとせず、図面に即した説明は、発明の幾つかの形態がどのように実際に具現できるかを、当業者に明らかにするものである。
図１Ａは画像またはマルチメディアデータを圧縮するための本発明による例示的システムを示す略ブロック図である。
図１Ｂはデータを解析するための例示的方法の流れ図である。
図２は本発明による例示的ワイヤレスマルチメディアプラットフォームモニタを示す略ブロック図である。
図３Ａは本発明による完全なワイヤレスシステムの一実施形態を示す略ブロック図である。
図３Ｂは本発明による完全なワイヤレスシステムの別の実施形態を示す略ブロック図である。
図３Ｃは本発明による完全なワイヤレスシステムのさらに別の実施形態を示す略ブロック図である。
図４は、本発明に係る例示的遠隔投写システムの略ブロック図である。
【００２０】
好適な実施形態の説明
本発明は、制御コンピュータがワイヤまたはケーブル、または他の物理的伝送媒体によって遠隔プロジェクタに接続されないように、ワイヤレス接続を介して制御コンピュータから遠隔プロジェクタにプレゼンテーションデータを送信するためのシステムおよび方法である。プレゼンテーションデータは任意選択的にテキスト、グラフィックイメージ、映像および／または音声データを含むことができ、制御コンピュータで作成される。次いで制御コンピュータはプレゼンテーションデータを遠隔プロジェクタに送信し、それがプレゼンテーションデータを聴衆に表示する。
【００２１】
本発明の好適な実施形態では、プレゼンテーションデータは、プレゼンテーションのオペレータに表示するためにコンピュータモニタにも送信される。例えばプレゼンテーションのオペレータがプレゼンテーションを聴衆に示す前に試演したい場合に、任意選択的に、そのような表示はコンピュータモニタに限定することができる。コンピュータモニタはワイヤまたはケーブルで制御コンピュータに接続することができるが、同じくワイヤレス接続を通してプレゼンテーションデータを受信することが好ましい。したがって、任意選択的に、コンピュータモニタ、制御コンピュータ、および遠隔プロジェクタは３か所の別個の物理的位置に配置され、好ましくはワイヤレス接続を介して接続される。
【００２２】
本発明の別の好適な実施形態では、プレゼンテーションデータはマルチメディアデータ圧縮のための方法に従って圧縮され、それはプレゼンテーションデータを遠隔プロジェクタに迅速かつ効率的に送信することを可能にする。本発明に係るマルチメディアデータ圧縮の方法は、マルチメディアデータを生成するソフトウェアアプリケーションの型によって、かつしたがってデータ自体の特徴によって、圧縮方法を調整する。マルチメディアデータ圧縮の型はプロファイルマネージャによって選択され、それはマルチメディアデータの特徴を検出してデータの文字を決定し、次いで、データの文字によって圧縮方法をはじめとするマルチメディアデータ圧縮プロファイルを選択する。
【００２３】
本発明によるシステムおよび方法の原理および動作は、図面および付随する説明を参照することにより、いっそうよく理解することができる。
【００２４】
今、図面を参照すると、図１Ａは本発明による例示的システムを示す略ブロック図であり、図１Ｂは、本発明による例示的方法の流れ図である。図１Ａおよび図１Ｂは画像圧縮方法に関して描いているが、これは単に説明のためのものであって、いかようにも制限する意図は無い。
【００２５】
図１Ａに示す通り、システム１は、様々な型の表示データを生成するための複数のソフトウェアアプリケーション３を特徴とする。ソフトウェアアプリケーション３はオペレーティングシステム５によって操作される。表示データは、例えば送信、伸張、および図２のリモートモニタによる表示の前に、および図３Ａ〜図３Ｂのシステムのために、適切な画像圧縮方法に従って圧縮しなければならない。
【００２６】
データを適切に圧縮するために、各ソフトウェアアプリケーション３によって生成される特定の型のデータと互換性のある画像圧縮方法を選択しなければならない。したがって、オペレーティングシステム５は、画像データを圧縮プロファイルマネージャ７に送り込む。このプロセスは、オペレーティングシステム５に、実行している各ソフトウェアアプリケーション３の型を圧縮プロファイルマネージャ７へ報告させるために、別個の報告装置ドライバ９によって制御される。報告装置ドライバ９は、オペレーティングシステム５にスクリーン解像度をも圧縮プロファイルマネージャ７へ報告させることが好ましい。
【００２７】
圧縮プロファイルマネージャ７が生成される画像表示データの型に関する関連情報を受け取ると、圧縮プロファイルマネージャ７は、表示データを圧縮するための特定の型の画像圧縮方法を選択することができる。圧縮プロファイルマネージャ７は、特定のソフトウェアアプリケーション３によって生成される特定の型の表示データに各々が適している、複数の圧縮プロファイルを有する。各型の表示データがオペレーティングシステム５から受け渡されると、圧縮プロファイルマネージャ７は、図１Ｂに関連してさらに詳しく述べる画像データの特徴によって、画像データを圧縮するための適切な圧縮プロファイルを選択する。代替的に、ユーザは、圧縮プロファイルマネージャ７によって提供される複数のそのようなプロファイルから圧縮プロファイルを手動で選択することができる。
【００２８】
画像データ用の適切な圧縮プロファイルが選択されると、圧縮の実際のプロセスがＭＰＥＧ（Ｍｏｔｉｏｎ　Ｐｉｃｔｕｒｅ　Ｅｘｐｅｒｔ　Ｇｒｏｕｐ）エンコーダ１１または他の型の圧縮アルゴリズムによって実行される。本発明は特定の型の画像データ圧縮方法、すなわちＭＰＥＧグループの圧縮方法に関して説明するが、これは単に説明のためであって、いかようにも限定する意図は無いことを理解されたい。
【００２９】
例えば、テレビジョン画像ストリーム、語処理スクリーンストリーム、三次元ビデオゲーム画像ストリーム等々には異なる圧縮プロファイルが必要になる。好ましくは、自動画像コンテント解析方法を使用して、画像データの型を解析し、画像データの型に従って特定の圧縮プロファイルを選択する。そのような自動的な方法の好適な実現を図１Ｂに掲げる。ステップ１で、送信される画像データを解析する。例えば、画像データのラスタグループを解析のために任意選択的に標本抽出する。好ましくは、そのようなグループは各々８×８画素のブロックである。
【００３０】
ステップ２で、各標本について少なくとも１つのパラメータを決定する。好ましくは、パラメータはスクリーンの一意の色の数、静的な暗色の細い画素行または大きい静的ブロックの存在、および１つのフレームから次のフレームまでの間のスクリーンにおける動きのレベルを含むが、それらに限定されない。複数のそのようなパラメータが解析されることがさらに好ましい。
【００３１】
ステップ３で、複数のパラメータが特定の圧縮プロファイルと照合され、それが次いで圧縮プロファイルマネージャ７によって選択される。例えば、各フレームの下部および上部の変化しない黒いストライプと共に、フレーム間にかなりの動きがある１フレーム内の数千の一意の色の存在は、ＤＶＤ映画が送信されていることを示す。その場合、ＤＶＤ映画のための適切な圧縮プロファイルが選択される。
【００３２】
圧縮プロファイルは、最大解像度、リフレッシュレート、および色処理などの要因によって調整される。テキストデータの場合、任意の特定の瞬間に送信しなければならないテキストデータの量はそれ自体変動するので、任意選択的に、かつ好ましくは、圧縮には可変ビットレートを使用する。したがって、これらの様々な要因によって調整される様々なプロファイルおよびレベルを特徴とすることから、ＭＰＥＧ圧縮方法が本発明には好適である。ＭＰＥＧエンコーダは、低域フィルタ、メディアンフィルタ、およびデインタレースフィルタなど、様々な「フィルタ」を通してノイズを除去することができることからも好適である。例えば、フレーム内の位置が変化したデータの探索領域を拡大または最小化することによって、動きベクトルを設定することもできる。
【００３３】
レベルおよびプロファイルに関係なく、ＭＰＥＧフォーマットは３種類の異なる型のフレーム、すなわちＩ、Ｂ、およびＰフレームを使用する。Ｉフレームは初期または「フレーム内」フレームであり、必須である。Ｂフレームは双方向フレームであり、Ｐフレームは予測可能フレームである。ＢおよびＰフレームは任意であり、Ｐフレームが無ければＢフレームは除去することができる。
【００３４】
これらの異なる型のフレームがグループに編成される。例えば、ＭＰＥＧ方法に従って圧縮された画像ストリームは、例えばＩＢＰなどの３フレームグループ、または例えばＩＢＢＰＢＢＰＢＢなどの９フレームグループ、または例えばＩＰＰＰＰＰＰＰＰＰＰＰなどの１２フレームグループさえも特徴とすることができる。各グループには単一のＩフレームがあるが、各グループ内のＢおよびＰフレームの数は変動することができ、全て除去することさえもできる。さらに、各圧縮プロファイルを生成するために、毎秒のフレーム数、動きベクトル、解像度、およびフィルタは全て任意選択的に調整することができる。
【００３５】
テレビジョン画像ストリーム用の例示的圧縮プロファイルは、１２フレーム：ＩＢＢＰＢＢＰＢＢＰＢＢのフレームグループを持つ主レベル主プロファイルＭＰＥＧ−２圧縮方法を特徴とする。この方法は、順次復号またはデインタレース、および低域フィルタを特徴とする。動きベクトルはＰフレームに対しては３２×３２、Ｂフレームに対しては１６×１６である。
【００３６】
他方、８００×６００の解像度の語処理スクリーンストリームの例示的圧縮プロファイルは、９フレーム：ＩＢＢＰＢＢＰＢＢのフレームグループを持つ高プロファイル高レベル可変ＭＰＥＧ−２ストリームとなる。フローレス品質が必要な場合、毎秒３０フレームのレートが毎秒１０のトリプルフレームのレートとなるように、Ｂフレームは全て除去することができる。動きベクトルはＰフレームに対しては２４×２４、Ｂフレームに対しては８×８である。フィルタは適用されない。
【００３７】
３Ｄビデオゲーム画像データの場合、例示的圧縮プロファイルは毎秒６０フレームの任意選択的に高プロファイル高レベルＭＰＥＧ−２圧縮方法を特徴とし、それにより圧縮プロセス自体によって生じた遅延を半減する。好ましくは、この圧縮方法は１８フレーム：ＩＢＰＢＰＢＰＢＰＢＰＢＰＢＰＢＰＢのグループを特徴とする。Ｂフレームは全て除去されるので、毎秒６０フレームのフレームレートは毎秒３０のダブルフレームのレートとなる。動きベクトルはＰフレームに対しては４８×４８、Ｂフレームに対しては８×８である。
【００３８】
ステップ４で圧縮プロファイルが設定され、画像データを圧縮するための特定の画像圧縮方法が決定される。次いでデータは圧縮され、送信される。
【００３９】
言うまでもなく、前に説明したシステムおよび方法は、例えば音声ストリームデータなど、他の型のマルチメディアデータに拡張することができる。代替的に、前述の通り、圧縮プロファイルはユーザが手動で選択することができ、あるいは代替的に、画像データおよび／またはその他の型のマルチメディアデータを生成するソフトウェアアプリケーションのアイデンティティによって、自動的に決定することができる。ソフトウェアモジュールまたは他の組の電子的に実行される命令による自動解析の２つまたはそれ以上の要素、ユーザによる手動選択、およびマルチメディアデータを生成するソフトウェアアプリケーションのアイデンティティによる選択は、任意選択的に組み合わせることもできる。任意選択的に、かつ最も好ましくは、ユーザは、自動的に選択された圧縮プロファイルを手動で無効にし、そのような自動的に選択された圧縮プロファイルを異なる圧縮プロファイルと置換することができる。好ましくは、そうした置換がＧＵＩ（グラフィカル・ユーザ・インタフェース）要素を介して、好ましくはマクロコマンドを使用して可能になる。「ｔｖ」、「ｄｖｄ」、「ｔｅｘｔ」または「ｇｒａｐｈｉｃｓ」などのマクロボタンのルーラまたはその他の表示を使用して、これらのマクロコマンドを制御することができる。
【００４０】
図２は、好ましくは少なくとも画像データおよび音声データを含み、さらに好ましくは映像および音声データを一緒に含む、コンピュータ（図示せず）からのマルチメディアデータを表示するための、本発明による例示的ワイヤレスモニタを示す略ブロック図である。ワイヤレスモニタは任意選択的に、好ましくはそれぞれ図１Ａおよび図１Ｂのシステムおよび方法によって、ワイヤレスモニタへの送信前にデータを圧縮するための様々な構成部品を含む、本発明に従ってマルチメディアデータを伸張するための分離されたコンピュータと共に使用することが好ましい。
【００４１】
ワイヤレスモニタ１０は、無線波通信を通して主コンピュータ（図示せず）と通信する無線周波数（ＲＦ）トランシーバ１２に接続される。ワイヤレスモニタ１０は、音声および画像データの両方を表示することが好ましいが、ワイヤレスモニタ１０は任意選択的に音声だけまたは画像だけのデータを表示することができる。以下、用語「ディスプレイ」は、ビジュアルディスプレイおよびオーディオディスプレイの両方を含むことができる。
【００４２】
ワイヤレスモニタ１０は、主コンピュータから無線波通信を受信するため、かつそのような無線波通信を主コンピュータに送信するためのＩＳＭバンドトランシーバ１４を含む。より好ましくは、本発明の無線波受信機および送信機は全て低周波数の無線波で、最も好ましくは、米国では特別な免許が必要無いことから約２．４ＧＨｚないし約５．８ＧＨｚの範囲で作動する。
【００４３】
ＩＳＭバンドトランシーバ１４は、高周波を画像ストリームデータに変換するために、高周波変換インタフェース１６に接続することが好ましい。変換インタフェース１６は、高周波をＭＰＥＧフォーマットでそのような画像データに変換することが好ましいが、言うまでもなく、他のフォーマットを代替的に使用することもできる。次いでデータは、データの画像部分をディスプレイスクリーン２０に提供するデコーダ１８によって復号される。任意選択的に、かつ好ましくは、ディスプレイスクリーン２０はこのデータを、ＤＦＰ（デジタルフラットパネルディスプレイ）ポート２２を通して受信する。また、任意選択的に、かつ好ましくは、ディスプレイスクリーン２０はフラットパネルディスプレイであるが、言うまでもなく、他の型のディスプレイスクリーンを使用することもできる。ディスプレイスクリーン２０の例として、プラズマスクリーンまたはＬＣＤ（液晶ディスプレイ）をはじめとする任意の型のフラットスクリーン、ＣＲＴ（陰極線管）モニタ、コンピュータモニタ、または任意の他の型の画像表示モニタがあるが、それらに限定されない。こうして、ワイヤレスモニタ１０は、ＧＵＩ（グラフィカルユーザインタフェース）、その他のグラフィックスまたはイメージ、もしくは画像ストリームなどのビジュアルデータをユーザに対して表示することができる。
【００４４】
デコーダ１８はまた、任意選択的に、かつ好ましくは、復号データの音声部分を音声増幅器２４に提供する。音声増幅器２４は、図示するようにスピーカ２６、イヤホンソケット２８、またはラインアウトソケット３０など、何らかの型の音声再生装置に接続される。
【００４５】
好ましくは、ワイヤレスモニタ１０は、任意選択的に充電器／ベースで充電可能なバッテリを介して電力を受け取り、それによりワイヤレスモニタ１０は様々な遠隔位置で画像および／または音声データを表示するために携帯して運ぶことができる。
【００４６】
図３Ａ〜図３Ｃは、ワイヤレスモニタ１０、およびワイヤレスモニタ１０で表示するための画像および／または音声データなどのマルチメディアデータを提供するために図２のワイヤレスモニタ１０と通信するための主コンピュータの例示的構成の略ブロック図である。これらの構成は、図１Ａおよび図１Ｂに関して述べた通り、本発明に従ってマルチメディアデータを圧縮するための方法を実行することが好ましい。
【００４７】
図３Ａは、マルチメディア圧縮システムの構成部品が主コンピュータ３４内に含まれる、内部実現である第１例示的システム３２を示す。図示する通り、主コンピュータ３４はワイヤレスモニタ（図示せず）および局所モニタ３６に接続され、それは任意選択的にケーブルにより主コンピュータ３４に接続される。主コンピュータ３４は、ビデオスイッチ４０に接続されるＤＶＩ（デジタル出力）またはＤＳＰを持つビデオディスプレイカード２８を特徴とする。図示した実施形態では、ビデオスイッチ４０は主コンピュータ３４内に含まれ、画像信号が局所的に局所モニタ３６に表示されるか、さもなければＭＰＥＧエンコーダ４２によって遠隔送信用に符号化されるように、局所モニタ３６およびＭＰＥＧエンコーダ４２の両方に接続されることが好ましい。局所モニタ３６における局所表示の場合、信号はＤ／Ａ変換器４３を介して供給することが好ましい。
【００４８】
ソフトウェア、ファームウェア、またはハードウェアとして実現することのできるＭＰＥＧエンコーダ４２は、様々なデータフォーマットに従って画像データを符号化することができることに注意されたい。ＭＰＥＧエンコーダ４２は任意選択的に、かつ好ましくはＡ／Ｖ−ＭＰＥＧインタフェース６２から画像信号を受け取り、それはビデオディスプレイカード３８に設置することがより好ましく、それは画像信号を、ビデオディスプレイカード３８に適したフォーマットからＭＰＥＧエンコーダ４２に適したフォーマットに変換する。
【００４９】
ＭＰＥＧエンコーダ４２はまた任意選択的に、かつ好ましくは音声エンコーダ４４から音声入力を受け取り、これは音声データを、ＭＰＥＧエンコーダ４２によって可読であるフォーマットに変換する。ＭＰＥＧエンコーダ４２は次いで、結合された音声および画像データを変換器４８に送信する。変換器４８はデータを無線波に結合し、それは次いで、無線波をワイヤレスモニタ（図示せず）に送信するために、ＩＳＭバンドＳＰ２送信機５０によって送信される。
【００５０】
加えて、音声データは、デジタル音声信号としてＵＳＢおよび／またはファイヤワイヤ出力装置ドライバ６０に受け渡され、これは変換器４８への画像データと結合するために、音声データをＵＳＢおよび／またはファイヤワイヤポート４６へ送信する。
【００５１】
図３Ｂに示すシステム５２は今度の実現が主コンピュータ３４の外部であり、かつビデオディスプレイカード５４が今度はビデオスイッチ４０に直接出力されるアナログＲＧＢを持つことを除いては、図３Ａのそれと同様である。ビデオスイッチ４０およびその他のマルチメディア圧縮および送信構成部品は今度は、主コンピュータ３４から分離された別個のベース５７に設置される。
【００５２】
ビデオスイッチ４０は、アナログビデオデータをビデオデジタタイザおよび変換器５６に受け渡し、これはデータをＡ／Ｖ−ＭＰＥＧインタフェース６２に受け渡す。ＭＰＥＧインタフェース５８はデータをＭＰＥＧエンコーダ４２に受け渡し、かつ、前述したように、そこからコンバータ４８およびトランシーバ５０へ受け渡す。
【００５３】
図３Ａの場合、音声データはデジタル音声信号としてＵＳＢおよび／またはファイヤワイヤ出力装置ドライバ６０に受け渡され、それは、Ａ／Ｖ−ＭＰＥＧインタフェース６２で画像データと結合するために、音声データをＵＳＢおよび／またはファイヤワイヤポート４６へ送る。
【００５４】
図３Ｃは、第２の外部実現であり、マルチメディア圧縮および送信構成部品も別個のベース５７に設置されたシステムを示す。しかし、これらの構成部品は今度は、図３Ｂのアナログ信号用ではなく、図３Ａの場合と同様にデジタル画像信号用に実現される。
【００５５】
図４は、遠隔プロジェクタによって聴衆にプレゼンテーションデータを投写するための例示的システムの略ブロック図である。図３Ａ〜３Ｃに示した構成要素と同一参照番号を持つ図４の構成要素は、同一機能を持つと想定される。プレゼンテーションデータを送信するコンピュータと、データを受信して表示する遠隔プロジェクタとの間のワイヤレス接続は、接続が例えばワイヤまたはケーブルなどの物理的媒体または構成要素を含まないので、「ワイヤレス媒体」と呼ぶこともできる。
【００５６】
図示する通り、システム６６は、プレゼンテーションデータを作成し、かつプレゼンテーションを制御するための制御コンピュータ６８を装備している。前述の通り、プレゼンテーションデータは任意選択的に、テキスト、グラフィックイメージ、映像および／または音声データの１つまたはそれ以上、および任意選択的にまたは代替的に、聴衆へのプレゼンテーション用のいずれかの他の型のデータとのそれらの任意の組合せである。制御コンピュータ６８は任意選択的に関連モニタ７０を有し、それは任意選択的にケーブルで制御コンピュータ６８に接続される。制御コンピュータ６８は、ビデオスイッチ４０に直接出力されるアナログＲＧＢを持つビデオディスプレイカード５４を装備している。代替的に、ＤＶＩ（デジタル出力）を使用することができる。アナログ出力を使用する場合には、ビデオディスプレイカード５４には関連映像デジタイザおよび変換器（図示せず）も必要になる。
【００５７】
ビデオスイッチ４０は、制御コンピュータ６８とは離れた別個のベース５７に配置される。映像データはビデオスイッチ４０によって受信され、ＭＰＥＧエンコーダ４２に渡される。ＭＰＥＧエンコーダ４２はまた、任意選択的に、かつ好ましくは、映像および／または静止画像カメラ７２からの映像および／または静止画像データをも受信する。ＭＰＥＧエンコーダ４２はまた、任意選択的に、かつ好ましくは、音声エンコーダ４４からの音声入力をも受信する。音声エンコーダ４４は、音声データをＭＰＥＧエンコーダ４２によって読取り可能なフォーマットに変換する。ＭＰＥＧエンコーダ４２は次いで、結合された音声および映像データを変換器４８に送信する。変換器４８は結合データを無線波に変換し、次いでそれは、無線波送信用のＩＳＭバンドＳＰ２トランシーバ７４によって、少なくともワイヤレスプロジェクタ７６に送信される。ＩＳＭバンドＳＰ２トランシーバ７４は、ポイントツーマルチポイントトランシーバとして実現することが好ましい。ＩＳＭバンドＳＰ２トランシーバ７４はワイヤレス媒体の一部分を構成する。
【００５８】
ワイヤレスプロジェクタ７６は任意選択的に制御コンピュータ６８から遠隔位置に配置されるが、制御コンピュータ６８へのワイヤまたはケーブルなどの物理的接続は必要無い。代わりに、ＩＳＭバンドＳＰ２トランシーバ７８はベース５７から無線波を受信する。ＩＳＭバンドＳＰ２トランシーバは、ワイヤレス媒体の別の部分を形成する。次いでデータはＭＰＥＧデコーダ８０により復号される。復号されたデータがデジタル映像データである場合、それは、聴衆への投写のためにデジタル映像出力装置８２に送ることが好ましい。復号されたデータがアナログ映像データである場合、それは、聴衆への投写のためにアナログＲＧＢ映像出力装置８６に与える前に、デジタル／アナログ変換器８４に送ることが好ましい。復号されたデータが音声データである場合、それは、聴衆への投写のための音声出力装置９０に与える前に、音声増幅器８８に送ることが好ましい。任意選択的に、音声データはイヤホン９２に出力するためにも送られる。
【００５９】
遠隔プロジェクタ７６は任意選択的に、オペレータ（図示せず）によるプレゼンテーションを見るためのコンピュータまたは他の映像モニタを装備することができ、オペレータはコマンドプラットフォーム９４からプレゼンテーションを制御することが好ましい。コマンドプラットフォーム９４は再び、遠隔プロジェクタ７６と同様の構成要素を装備している。しかし、プレゼンテーションを聴衆に投写する代わりに、オペレータはフラットパネルディスプレイ９６を通してプレゼンテーションを見ることができ、かつ任意選択的に音声出力装置９０および／またはイヤホン９２を通して音声データを聞くことができることが好ましい。
【００６０】
加えて、コマンドプラットフォーム９４は、データおよび／またはコマンドなどの入力をオペレータから受け取るために、マウスまたは他の入力装置などのポインティング装置９８、およびキーボード１００を装備することが好ましい。オペレータからのそのような入力は、オペレータがプレゼンテーションおよび制御コンピュータ６８の活動を完全に制御することを可能にするために、非常に好ましい。オペレータからの入力はパケットプロトコルモジュール１０２によってパケットデータに変換されるが、パケットフォーマットの代わりに他の型のデータ伝送フォーマットを使用できることは理解される。
【００６１】
次いで、パケットデータはＩＳＭバンドＳＰ２トランシーバ７８によって送信され、それは任意選択的に、ベース５７から無線波を受信するものと同一とすることができ、あるいは代替的に別個の構成部品とすることができる。いずれの場合も、ＩＳＭバンドＳＰ２トランシーバ７８はベース５７のＩＳＭバンドＳＰ２トランシーバ７４にデータを送信する。次いで、パケットデータは復号され、パケットデコーダおよびスイッチボックス１０４によって適切な型の入力データに分割される。次いで、パケットデコーダおよびスイッチボックス１０４は、キーボードポート１０６、ポインティング装置ポート１０８、またはジョイスティックポート１１０など、制御コンピュータ６８のどの入力ポートでデータを受け取るかを決定する。任意選択的に、例えば制御コンピュータ６８で局所的にコマンドを受け取るために、１つまたはそれ以上の局所入力装置１１２をパケットデコーダおよびスイッチボックス１０４に接続することができる。したがって、オペレータは、コマンドプラットフォーム９４を介して、制御コンピュータ６８の機能およびしたがってプレゼンテーションの機能を制御することができる。
【００６２】
本発明の好適な実施形態では、オペレータはプレゼンテーションを聴衆が見ることができる前に試演することを望むことができ、さもなければ、そのようなデータを聴衆によって見られることなく、制御コンピュータ６８から表示データを受け取ることができる。したがって、任意選択的に、かつ好ましくは、オペレータは、例えばコマンドプラットフォーム９４を介して１つまたはそれ以上のコマンドを入力することによって、遠隔プロジェクタ７６が制御コンピュータ６８からデータを受け取るかどうかを決定することができる。次いで、これらのコマンドはベース５７のＩＳＭバンドＳＰ２トランシーバ７４に送られることが好ましい。ＩＳＭバンドＳＰ２トランシーバ７４は、データを遠隔プロジェクタ７６に送信するかどうかを決定する１組のマクロによって制御されることが、より好ましい。
【００６３】
本発明の他の好適な実施形態では、プレゼンテーションデータは、遠隔プロジェクタ７６および／またはコマンドプラットフォーム９４に送信される前に圧縮される。任意選択的に、かつ好ましくは、前述の圧縮方法を使用することができる。プレゼンテーションデータは、比較的狭い組の型のデータの１つまたはそれ以上を含むと予想されるので、プレゼンテーションに含まれると予想される実質的にどんな型のプレゼンテーションデータにも対処するように簡単に、圧縮方法を調整することができる。
【００６４】
システム６６のより単純な実現は、フラットパネルディスプレイ（図示せず）無しで、着脱可能な入力プラットフォームを装備している。この入力プラットフォームは別個の無線チャネルを持つことが好ましく、それは任意選択的に９００ＭＨｚ帯にすることもできる。
【００６５】
したがって本発明の装置は、遠隔プロジェクタを介して聴衆にデータを投写するための機構、並びにネットワークカードを必要とすることのない、かつ物理的ワイヤまたはケーブル接続無しの、遠隔位置の主コンピュータとの完全な対話機能を実現する。対話機能は、どちらもＣＰＵを持たない遠隔Ａ／Ｖ表示装置および遠隔入力プラットフォームを通してもたらされる。したがって、主コンピュータが、遠隔入力プラットフォームから受信する命令に従って、遠隔Ａ／Ｖ表示装置の動作を制御する。
【００６６】
さらに、本発明に従って音声および／または画像ストリームデータを圧縮する方法はまた、画像ストリームデータを発生させたアプリケーションの型によって、かつ従ってこのデータの特定の特徴によって圧縮の型が選択されるので、データの高速送信をも実現する。
【００６７】
分かりやすくするために、別個の実施形態の文脈で説明した本発明の特定の特徴は、単一実施形態で組み合わせて提供することもできることを理解されたい。逆に、簡潔のために、単一実施形態の文脈で説明した本発明の様々な特徴は、別個に、あるいは任意の適切な部分組合せで提供することもできる。
【００６８】
本発明を、その特定の実施形態と共に説明したが、多くの代替例、変形例、および変化例が当業者には明らかであることは明白である。したがって、請求の範囲の精神および広い範囲内に該当するそのような代替例、変形例、および変化例は全て包含するつもりである。この明細書で示した全ての刊行物、特許、および特許出願はここに、個々の各刊行物、特許、または特許出願が特定的にかつ個別的に参照によってここに組み込むと明記されたかのように、それと同程度に、その全体を参照によって本書に組み込む。加えて、本願における文献の引用または識別は、そのような文献を本願の先行技術として利用可能であるという許可と解釈してはならない。
【図面の簡単な説明】
【図１】
図１Ａは画像またはマルチメディアデータを圧縮するための本発明による例示的システムを示す略ブロック図である。図１Ｂはデータを解析するための例示的方法の流れ図である。
【図２】
本発明による例示的ワイヤレスマルチメディアプラットフォームモニタを示す略ブロック図である。
【図３】
図３Ａは本発明による完全なワイヤレスシステムの一実施形態を示す略ブロック図である。図３Ｂは本発明による完全なワイヤレスシステムの別の実施形態を示す略ブロック図である。図３Ｃは本発明による完全なワイヤレスシステムのさらに別の実施形態を示す略ブロック図である。
【図４】
本発明に係る例示的遠隔投写システムの略ブロック図である。
【図１】
2004512558.tif 000003
2004512558.tif 000004
【図２】
2004512558.tif 000005
【図３】
2004512558.tif 000006
2004512558.tif 000007
2004512558.tif 000008
【図４】
2004512558.tif 000009
【国際公開パンフレット】
2004512558.tif 000010
2004512558.tif 000011
2004512558.tif 000012
2004512558.tif 000013
2004512558.tif 000014
2004512558.tif 000015
2004512558.tif 000016
2004512558.tif 000017
2004512558.tif 000018
2004512558.tif 000019
2004512558.tif 000020
2004512558.tif 000021
2004512558.tif 000022
2004512558.tif 000023
2004512558.tif 000024
2004512558.tif 000025
2004512558.tif 000026
2004512558.tif 000027
2004512558.tif 000028
2004512558.tif 000029
2004512558.tif 000030
2004512558.tif 000031
2004512558.tif 000032
2004512558.tif 000033
2004512558.tif 000034
2004512558.tif 000035
2004512558.tif 000036
2004512558.tif 000037
2004512558.tif 000038
2004512558.tif 000039
2004512558.tif 000040
2004512558.tif 000041
2004512558.tif 000042
2004512558.tif 000043
2004512558.tif 000044
2004512558.tif 000045
【国際公開パンフレット（コレクトバージョン）】
2004512558.tif 000046
2004512558.tif 000047
【国際調査報告】
2004512558.tif 000048
2004512558.tif 000049